(57)【特許請求の範囲】
【請求項１】
患者に対して使用される医療機器が異常を検知した場合に出力する警告情報を擬似的に発生させて出力する警告情報出力部と、
前記警告情報出力部により出力された前記警告情報を含むナースコール情報を出力するナースコール情報出力部と、
前記ナースコール情報出力部により出力された前記ナースコール情報に基づいて、前記患者の看護必要度を算出するために用いられる看護必要度チェックデータを生成する看護必要度チェックデータ生成部とを備え、
前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力することを特徴とする看護情報生成システム。
【請求項２】
請求項１に記載の看護情報生成システムにおいて、
前記警告情報出力部は、前記患者を識別するための患者識別情報を前記警告情報と共に出力し、
前記ナースコール情報出力部は、前記警告情報出力部により出力された前記警告情報および前記患者識別情報に基づいて前記ナースコール情報を出力し、
前記看護必要度チェックデータ生成部は、前記ナースコール情報出力部により出力された前記ナースコール情報に基づいて、前記患者識別情報に対応する患者の看護必要度チェックデータを生成することを特徴とする看護情報生成システム。
【請求項３】
患者に対する医療機器の使用解除を示す使用解除情報を出力する使用解除情報出力部と、
前記使用解除情報出力部により出力された前記使用解除情報を含むナースコール情報を出力するナースコール情報出力部と、
前記ナースコール情報出力部により出力された前記ナースコール情報に基づいて、前記患者の看護必要度を算出するために用いられる看護必要度チェックデータを生成する看護必要度チェックデータ生成部とを備え、
前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力することを特徴とする看護情報生成システム。
【請求項４】
請求項３に記載の看護情報生成システムにおいて、
前記使用解除情報出力部は、前記患者を識別するための患者識別情報を前記使用解除情報と共に出力し、
前記ナースコール情報出力部は、前記使用解除情報出力部により出力された前記使用解除情報および前記患者識別情報に基づいて前記ナースコール情報を出力し、
前記看護必要度チェックデータ生成部は、前記ナースコール情報出力部により出力された前記ナースコール情報に基づいて、前記患者識別情報に対応する患者の看護必要度チェックデータを生成することを特徴とする看護情報生成システム。
【請求項５】
請求項１〜４のいずれかに記載の看護情報生成システムにおいて、
前記ナースコール情報出力部により出力された前記ナースコール情報をナースコール履歴情報として記憶するナースコール履歴情報記憶部を備え、
前記看護必要度チェックデータ生成部は、前記ナースコール履歴情報を前記ナースコール履歴情報記憶部から読み出し、当該読み出したナースコール履歴情報に基づいて、前記看護必要度チェックデータを生成することを特徴とする看護情報生成システム。
【請求項６】
患者に対して使用される医療機器が異常を検知した場合に出力する警告情報を擬似的に発生させて出力する警告情報出力部と、前記警告情報出力部により出力された前記警告情報を含むナースコール情報を出力するナースコール情報出力部とを備える看護情報生成システムにおける看護必要度チェックデータ生成装置であって、
前記ナースコール情報出力部により出力された前記ナースコール情報に基づいて、前記患者の看護必要度を算出するために用いられる看護必要度チェックデータを生成する看護必要度チェックデータ生成部を備え、
前記看護必要度チェックデータ生成部は、前記ナースコール情報に前記警告情報が含まれていた場合、前記医療機器の使用開始の合図とみなして、前記看護必要度チェックデータのうち前記患者に対する前記医療機器の使用に関する項目に使用ありの値を入力することを特徴とする看護必要度チェックデータ生成装置。
【請求項７】
患者に対する医療機器の使用解除を示す使用解除情報を出力する使用解除情報出力部と、前記使用解除情報出力部により出力された前記使用解除情報を含むナースコール情報を出力するナースコール情報出力部とを備える看護情報生成システムにおける看護必要度チェックデータ生成装置であって、
前記ナースコール情報出力部により出力された前記ナースコール情報に基づいて、前記患者の看護必要度を算出するために用いられる看護必要度チェックデータを生成する看護必要度チェックデータ生成部を備え、
前記看護必要度チェックデータ生成部は、前記ナースコール情報に前記使用解除情報が含まれていた場合、前記看護必要度チェックデータのうち前記患者に対する前記医療機器の使用に関する項目に使用なしの値を入力することを特徴とする看護必要度チェックデータ生成装置。
【発明の詳細な説明】
【技術分野】
【０００１】
本発明は、看護情報生成システムおよび看護必要度チェックデータ生成装置に関し、特に病院や介護施設において、看護師や介護師等の医療スタッフに対する看護支援を行うために使用される看護支援システムに用いて好適なものである。
【背景技術】
【０００２】
従来、病院や介護施設において、医者、看護師または介護師（以下、単に「看護師」と言う）に対する看護支援を行うために使用される看護支援システムでは、看護師は、患者や被介護者（以下、単に「患者」と言う）に対する多くの看護記録情報を定期的に入力する必要があった。例えば、入院患者の健康状態を把握して診断及び治療に役立てるために、看護師は、一日数回、入院患者の体温・心拍数・呼吸数・血圧等の測定結果を看護支援システムに入力している。また、看護師は、患者に対して実施した注射・点滴・検査・処置等の実施記録や、患者を観察したり患者から聴聞したりして得た看護師所見も、測定結果だけからは得られない貴重な看護記録情報として看護支援システムに入力している。
【０００３】
この種の看護支援システムにおいて、患者の状態に応じて入力すべき対象項目の情報入力欄を看護経過の入力画面上に表示させるための操作入力の手間を軽減する技術が提案されている（例えば、特許文献１を参照）。具体的には、患者の日々の観察結果を記録した看護観察情報に基づいて患者の状態を推定し、その推定した状態に基づいて、患者の状態に該当すると推定される項目の情報入力欄を看護経過の入力画面に表示する。これにより、看護経過の入力画面上において、看護師は、患者の状態に応じて入力すべき情報入力欄を適宜選択して表示させる手間を省くことができる。
【特許文献１】特開２００３−９９５３１号公報
【０００４】
ところで、上述した看護支援システムに入力される看護記録情報の一つとして看護必要度の評価情報がある。この看護必要度は、その患者が看護をどの程度必要とするかを数値として表したものであり、数値が大きいほど看護必要度が高く、数値が小さいほど看護必要度が低いことを表している。看護必要度は、病院内や病棟内などに看護師を適正配置するため、あるいは患者のベッドを適切に配置するための指標として用いられている。
【０００５】
図６は、看護必要度を数値化する際に用いる評価票の例を示す図である。評価票は大きく分けて、Ａ．モニタリングおよび処置等に関する複数の項目と、Ｂ．患者の状況等に関する複数の項目とを含んでいる。何れの項目も、看護師による看護を必要とするかどうかの観点から定められたものであり、その項目に該当する場合には１点もしくは２点の点数が付く。そして、各項目に付けられた点数を合算することにより、看護必要度の数値が求められる。看護師は、この評価票を用いた看護必要度を毎日算出するために、評価票に示される複数の評価項目を看護支援システムの情報入力欄に毎日入力している。
【発明の開示】
【発明が解決しようとする課題】
【０００６】
しかしながら、看護必要度の算出に必要な情報として看護師が毎回入力すべき項目が多いため、看護必要度の算出に必要な情報入力に手間がかかってしまうという問題があった。なお、特許文献１に記載の診療支援装置は、患者の状態に応じて看護師が入力すべき情報入力欄を適宜選択して表示させる手間を省くものであり、看護師が入力すべき項目の数をそもそも減らすものではなかった。
【０００７】
本発明は、このような問題を解決するために成されたものであり、看護必要度の算出に必要な情報入力の手間を減らすことができるようにすることを目的とする。
【課題を解決するための手段】
【０００８】
上記した課題を解決するために、本発明では、ナースコール情報出力部が、警告情報出力部により擬似的に出力された医療機器による異常検知に関する警告情報、または、使用解除情報出力部により出力された医療機器の使用解除情報に基づいてナースコール情報を出力し、看護必要度チェックデータ生成部が、ナースコール情報出力部により出力されたナースコール情報に基づいて、患者の看護必要度を算出するために用いられる看護必要度チェックデータを生成する。看護必要度チェックデータ生成部は、ナースコール情報に警告情報が含まれていた場合、医療機器の使用開始の合図とみなして、患者に対する医療機器の使用に関する項目に使用ありの値を入力して看護必要度チェックデータを生成するようにしている。また、ナースコール情報に使用解除情報が含まれていた場合、患者に対する医療機器の使用に関する項目に使用なしの値を入力して看護必要度チェックデータを生成するようにしている。
【発明の効果】
【０００９】
上記のように構成した本発明によれば、ナースコール情報出力部により出力されたナースコール情報に基づいて、看護必要度チェックデータのうち患者に対する医療機器の使用に関する項目に値が自動的に入力されるので、看護必要度の算出に必要な情報として看護師が入力すべき項目の数が少なくなり、看護師は、看護必要度の算出に必要な情報入力の手間を減らすことができる。
【発明を実施するための最良の形態】
【００１０】
以下、本発明の一実施形態を図面に基づいて説明する。図１は、本実施形態による看護情報生成システム１００のブロック構成例を示す図である。なお、ここでは病院に設置される看護情報生成システム１００を例にとって説明するが、本実施形態の看護情報生成システム１００は、病院に設置されるものに限定されず、介護施設等に設置されてもよい。
【００１１】
図１において、１２０は医療機器であり、例えば病室の患者に装着して使用されるものである。医療機器１２０は、患者の異常または医療機器１２０自体の異常を検知した場合に警告情報を出力する。本実施形態では、医療機器１２０は、人工呼吸器または心電図モニタである。
【００１２】
１４０はセントラルモニタであり、医療機器１２０より出力された警告情報を付属のモニタ（図示せず）に画面出力すると共に、ナースコール制御機１６０に出力する。セントラルモニタ１４０は、操作入力部３００、テスト機能部３２０、警告情報出力部３４０および使用解除情報出力部３６０を備えて構成される。
【００１３】
操作入力部３００は、本発明の患者識別情報の一例として、医療機器１２０の使用が開始される患者に割り当てられているベッドに関するベッド情報（本実施形態では、「部屋番号」、「ベッド番号」）の入力を受け付ける。また、操作入力部３００は、患者に使用される医療機器１２０の種類（本実施形態では、「人工呼吸器」または「心電図モニタ」）を特定する医療機器特定情報の入力を受け付ける。また、操作入力部３００は、医療機器１２０の警告情報を擬似的に発生させる操作または医療機器１２０の使用解除を設定する操作を受け付ける。
【００１４】
テスト機能部３２０は、操作入力部３００で医療機器１２０の警告情報を発生させる操作が行われた場合、患者に対して使用される医療機器１２０が異常を検知した場合に出力する警告情報を擬似的に発生させる。この擬似的に発生された警告情報は、医療機器１２０から出力された警告情報によってナースコール呼び出しが正常に行われるかを確認するために使用される。具体的に説明すると、セントラルモニタ１４０は、擬似的に発生した警告情報をナースコール制御機１６０に出力する。そして、ナースコール制御機１６０は、セントラルモニタ１４０により出力された警告情報を含むナースコール情報を生成しナースコール親機１８０に出力する。すると、ナースコール親機１８０は、ナースコール制御機１６０により出力されたナースコール情報を付属のディスプレイに画面出力する。以上の動作が正常に行われることを確認することにより、医療機器１２０から出力された警告情報によってナースコール呼び出しが行われるかを確認することができる。
【００１５】
本実施形態では、擬似的に発生された警告情報を、患者に対する医療機器１２０の使用開始の合図として使用する。当日中に医療機器１２０を患者に使用開始することを決定した場合、看護師は、医療機器１２０の警告情報を発生させる操作を操作入力部３００で行い、テスト機能部３２０によるテスト機能を実行する。警告情報出力部３４０は、テスト機能部３２０により発生された警告情報と共に、操作入力部３００により入力が受け付けられたベッド情報および医療機器特定情報をナースコール制御機１６０に出力する。
【００１６】
使用解除情報出力部３６０は、操作入力部３００で医療機器１２０の使用解除を設定する操作が行われた場合、患者に対する医療機器１２０の使用解除を示す使用解除情報を発生させる。そして、使用解除情報出力部３６０は、使用解除情報と共に、操作入力部３００により入力が受け付けられたベッド情報および医療機器特定情報をナースコール制御機１６０に出力する。当日中に患者に対して医療機器１２０の使用解除を行うことを決定した場合、看護師は、ベッド情報と医療機器特定情報とを入力して、医療機器１２０の使用解除を設定する操作を行う。
【００１７】
ナースコール制御機１６０は、本発明のナースコール情報出力部に相当する。ナースコール制御機１６０は、警告情報入力部３８０、使用解除情報入力部４００およびナースコール情報出力部４２０を備えて構成される。警告情報入力部３８０は、警告情報出力部３４０により出力された警告情報、ベッド情報および医療機器特定情報を入力する。使用解除情報入力部４００は、使用解除情報出力部３６０により出力された使用解除情報、ベッド情報および医療機器特定情報を入力する。
【００１８】
ナースコール情報出力部４２０は、警告情報入力部３８０により入力された警告情報、ベッド情報および医療機器特定情報を含むナースコール情報を生成し、ナースコール親機１８０に出力する。また、ナースコール情報出力部４２０は、使用解除情報入力部４００により入力された使用解除情報、ベッド情報および医療機器特定情報を含むナースコール情報を生成し、ナースコール親機１８０に出力する。
【００１９】
ナースコール親機１８０は、例えばナースステーションに設置されるものであり、ナースコール情報入力部４４０、日時情報検出部４６０およびナースコール履歴情報記憶制御部４８０を備えて構成される。ナースコール情報入力部４４０は、ナースコール情報出力部４２０により出力されたナースコール情報を入力する。日時情報検出部４６０は、ナースコール情報入力部４４０によりナースコール情報が入力された日時（年月時分）を日時情報として検出する。
【００２０】
ナースコール履歴情報記憶制御部４８０は、ナースコール情報入力部４４０により入力されたナースコール情報に含まれるベッド情報の項目「部屋番号」および「ベッド番号」の値を検索キーにして、ＤＢ（ＤａｔａＢａｓｅ）サーバ２００の患者情報記憶部５００から対応する患者情報を検索する。患者情報記憶部５００は、現在病院に入院中の患者に関する患者情報を記憶する。本実施形態では、患者情報記憶部５００に記憶される患者情報には、項目情報として、患者を識別するための「個人ＩＤ」、患者の「氏名」、患者に割り当てられた病室の「部屋番号」、病室内で患者に割り当てられたベッドの「ベッド番号」が含まれる。なお、操作入力部３００においてベッド情報を入力する代わりに、ここに示した「個人ＩＤ」または患者の「氏名」を患者識別情報として入力しても良い。
【００２１】
ナースコール履歴情報記憶制御部４８０は、日時情報検出部４６０により検出された日時情報、患者情報記憶部５００から検索された患者情報、ナースコール情報入力部４４０により入力されたナースコール情報に含まれる警告情報（または使用解除情報）に対応して文字列「使用開始」（または「使用終了」）に置き換えられた文字列情報、およびナースコール情報入力部４４０により入力されたナースコール情報に含まれる医療機器特定情報に基づいてナースコール履歴情報を生成する。そして、ナースコール履歴情報記憶制御部４８０は、生成したナースコール履歴情報をＤＢサーバ２００のナースコール履歴情報記憶部５２０に記憶させる。
【００２２】
ＤＢサーバ２００は、例えばサーバ室に設置されるものであり、患者情報記憶部５００、ナースコール履歴情報記憶部５２０および看護必要度チェックデータ記憶部５４０を備えて構成される。患者情報記憶部５００は前述した通りで、ナースコール履歴情報記憶部５２０は、ナースコール履歴情報記憶制御部４８０により生成されたナースコール履歴情報を記憶する。なお、本実施形態では、ナースコール履歴情報記憶部５２０は、図示しない廊下灯、壁埋込形子機、ハンド形子機等からの患者によるナースコール呼び出しの際に、ナースコール制御機１６０を介して、ナースコール親機１８０に通知されたナースコール情報もナースコール履歴情報として記憶している。ただし、このナースコール履歴情報には、ナースコール履歴情報記憶制御部４８０により生成されたナースコール履歴情報とは異なり、後述する項目「医療機器使用情報」は含まれない。看護必要度チェックデータ記憶部５４０は、後述する看護必要度チェックデータ生成部５８０により生成され、患者の看護必要度を算出するために用いられる看護必要度チェックデータを記憶する。
【００２３】
図２は、ナースコール履歴情報記憶部５２０に記憶されるナースコール履歴情報の例を示す図である。図２に示すように、ナースコール履歴情報記憶部５２０には、ナースコール履歴情報（＃１〜＃９）が時系列順に記憶されている。ナースコール履歴情報には、項目情報として、「日時」、「部屋番号」、「ベッド番号」、「個人ＩＤ」、「氏名」および「医療機器使用情報」が含まれる。項目「日時」には、日時情報検出部４６０により検出された日時情報が格納される。項目「部屋番号」、項目「ベッド番号」、項目「個人ＩＤ」、項目「氏名」には、患者情報記憶部５００から検索された患者情報の各項目の値が格納される。
【００２４】
項目「医療機器使用情報」には、患者に対する医療機器１２０の使用状態に関する情報が格納される。具体的には、ナースコール情報入力部４４０により入力されたナースコール情報に警告情報が含まれていた場合、ナースコール履歴情報記憶制御部４８０は、当該警告情報を医療機器１２０の使用開始の合図とみなして、ナースコール履歴情報の項目「医療機器使用情報」に「医療機器１２０（人工呼吸器または心電図モニタ）：使用開始」のデータ形式で文字列を格納する。また、ナースコール情報入力部４４０により入力されたナースコール情報に使用解除情報が含まれていた場合、ナースコール履歴情報記憶制御部４８０は、ナースコール履歴情報の項目「医療機器使用情報」に「医療機器１２０（人工呼吸器または心電図モニタ）：使用終了」のデータ形式で文字列を格納する。
【００２５】
図２に示すように、項番１のナースコール履歴情報は、８月７日時点で患者「坂○洋子」に対して医療機器「人工呼吸器」の使用が開始されることを示している。また、項番２のナースコール履歴情報は、８月７日時点で患者「○井△人」から廊下灯、壁埋込形子機、ハンド形子機等のうちいずれかのナースコール子機を介してナースコール呼び出しがされたことを示している。また、項番５のナースコール履歴情報は、８月７日時点で患者「山本△奈」に対して医療機器「心電図モニタ」の使用が開始されることを示している。また、項番９のナースコール履歴情報は、８月７日時点で医療機器「人工呼吸器」の使用が開始された患者「坂○洋子」に対して、８月８日時点で医療機器「人工呼吸器」の使用が解除されることを示している。
【００２６】
図１の看護情報生成システム１００のブロック構成例の説明に戻って、２２０は看護支援クライアントであり、操作入力部５６０、看護必要度チェックデータ生成部５８０および画面出力部６００を備えて構成される。操作入力部５６０は、看護師による看護必要度チェックデータ入力画面の起動操作および起動された看護必要度チェックデータ入力画面の各項目に対する入力操作を受け付ける。また、操作入力部５６０は、看護師による看護必要度チェックデータ入力画面の起動操作が行われた場合、看護必要度チェックデータを生成する対象患者を識別するための個人ＩＤの入力操作を受け付ける。この個人ＩＤは、患者情報記憶部５００に記憶される患者情報の項目「個人ＩＤ」に対応する。
【００２７】
看護必要度チェックデータ生成部５８０は、操作入力部５６０で看護師による看護必要度チェックデータ入力画面の起動操作が行われた場合、入力された個人ＩＤに対応する患者の看護必要度チェックデータを生成する。具体的には、看護必要度チェックデータ生成部５８０により生成される看護必要度チェックデータは、図６において看護必要度を数値化する際に用いる評価票の例を説明したように、Ａ．モニタリングおよび処置等に関する複数の項目と、Ｂ．患者の状況等に関する複数の項目とを含んでいる。看護必要度チェックデータ生成部５８０は、これらの各項目の点数に対して、デフォルト値として「０点」を設定する。
【００２８】
看護必要度チェックデータ生成部５８０は、看護必要度チェックデータの各項目の点数に対してデフォルト値を設定した後、看護必要度チェックデータのうち患者に対する医療機器１２０の使用に関する項目（本実施形態では、項目「７  心電図モニタ」および項目「１２  人工呼吸器の装着」）に値を入力する。例えば、ナースコール履歴情報の項目「医療機器使用情報」の値に「人工呼吸器：使用開始」が設定されていれば、看護必要度チェックデータ生成部５８０は、看護必要度チェックデータのＡ．モニタリングおよび処置等に関する項目「１２  人工呼吸器の装着」の値にデフォルト値の「０点（なし）」ではなく「１点（あり）」を入力する。例えば、図２に示すように、ナースコール履歴情報記憶部５２０に項番１のナースコール履歴情報が記憶されていた場合、看護必要度チェックデータ生成部５８０は、患者「坂○洋子」の８月７日分の看護必要度チェックデータを生成する際に、Ａ．モニタリングおよび処置等に関する項目「１２  人工呼吸器の装着」の値にデフォルト値の「０点（なし）」ではなく「１点（あり）」を８月７日の時点で入力する。
【００２９】
また、ナースコール履歴情報の項目「医療機器使用情報」の値に「心電図モニタ：使用開始」が設定されていれば、看護必要度チェックデータ生成部５８０は、看護必要度チェックデータのＡ．モニタリングおよび処置等に関する項目「７  心電図モニタ」の値にデフォルト値の「０点（なし）」ではなく「１点（あり）」を入力する。例えば、図２に示すように、ナースコール履歴情報記憶部５２０に項番５のナースコール履歴情報が記憶されていた場合、看護必要度チェックデータ生成部５８０は、患者「山本△奈」の８月７日分の看護必要度チェックデータを生成する際に、Ａ．モニタリングおよび処置等に関する項目「７  心電図モニタ」の値にデフォルト値の「０点（なし）」ではなく「１点（あり）」を８月７日の時点で入力する。
【００３０】
一方、ナースコール履歴情報の項目「医療機器使用情報」の値に「人工呼吸器：使用終了」が設定されていれば、看護必要度チェックデータ生成部５８０は、看護必要度チェックデータのＡ．モニタリングおよび処置等に関する項目「１２  人工呼吸器の装着」の値に「１点（あり）」ではなくデフォルト値の「０点（なし）」を入力する。また、ナースコール履歴情報の項目「医療機器使用情報」の値に「心電図モニタ：使用終了」が設定されていれば、看護必要度チェックデータ生成部５８０は、看護必要度チェックデータのＡ．モニタリングおよび処置等に関する項目「７  心電図モニタ」の値に「１点（あり）」ではなくデフォルト値の「０点（なし）」を入力する。
【００３１】
例えば、図２に示すように、ナースコール履歴情報記憶部５２０に項番９のナースコール履歴情報が記憶されていた場合、看護必要度チェックデータ生成部５８０は、患者「坂○洋子」の８月８日分の看護必要度チェックデータを生成する際に、Ａ．モニタリングおよび処置等に関する項目「１２  人工呼吸器の装着」の値に「１点（あり）」ではなくデフォルト値の「０点（なし）」を８月８日の時点で入力する。このように、看護必要度チェックデータ生成部５８０は、ナースコール履歴情報記憶部５２０に記憶される同じ種類の医療機器に関する医療機器使用情報を含むナースコール履歴情報が同一の患者において複数存在する場合、直近のナースコール履歴情報に含まれる医療機器使用情報に基づいて、看護必要度チェックデータのうち患者に対する医療機器１２０の使用に関する項目に値を入力する。
【００３２】
なお、看護必要度チェックデータ生成部５８０が、看護必要度チェックデータを生成するタイミングは看護必要度チェックデータ入力画面の起動操作が行われた場合に限定されない。例えば、看護必要度チェックデータ生成部５８０は、ナースコール履歴情報記憶制御部４８０により生成された（項目「医療機器使用情報」を含む）ナースコール履歴情報がナースコール履歴情報記憶部５２０に記憶されるタイミングで看護必要度チェックデータを生成するようにしてもよい。この場合、看護必要度チェックデータ生成部５８０は、看護支援クライアント２２０に設けるだけでなくナースコール親機１８０にも設けておく方が看護必要度チェックデータの生成処理前後の流れから見て好ましい。
【００３３】
画面出力部６００は、看護必要度チェックデータ生成部５８０により生成された看護必要度チェックデータのうち、患者に対する医療機器１２０の使用に関する項目（本実施形態では、項目「７  心電図モニタ」および項目「１２  人工呼吸器の装着」）以外の項目に対して看護師が項目値を入力するための看護必要度チェックデータ入力画面をディスプレイ６２０に画面表示する。図３は、看護必要度チェックデータ入力画面７００の一例を示す図である。ここで、図３に示す看護必要度チェックデータ入力画面７００は、ナースコール履歴情報記憶部５２０に記憶されている項番１（図２を参照）のナースコール履歴情報に基づいて表示されたものである。
【００３４】
図３に示すように、看護必要度チェックデータ入力画面７００には、看護必要度チェックデータを生成する対象患者に関する情報を表示する表示領域７１０、看護必要度チェックデータを生成する対象日付を表示する表示領域７２０、看護必要度チェックデータの各項目に付けられた点数の合算値に関する情報を表示する表示領域７４０および看護必要度チェックデータのＡ．モニタリングおよび処置等に関する項目に関する情報を表示する表示領域７６０が表示される。なお、図３では、看護必要度チェックデータのＡ．モニタリングおよび処置等に関する項目が表示領域７６０に表示されているが、タブ７８０（Ｂ．患者の状況等）を操作入力部５６０を介してクリック操作することにより、表示領域７６０には、Ｂ．患者の状況等に関する項目が表示される。
【００３５】
図３に示すように、表示領域７１０には、看護必要度チェックデータ入力画面の起動操作が行われた場合、操作入力部５６０にて入力された個人ＩＤ（本実施形態では、００２９）の値を有する患者情報に基づいて、病室の部屋番号を示す「部屋」、病室内のベッド番号を示す「ベッド」、患者を識別するための「個人ＩＤ」および患者の氏名を示す「個人名」が表示される。本実施形態では、項目「部屋」、項目「ベッド」、項目「個人名」には、個人ＩＤ（００２９）に対応する患者情報の各項目の値「３１０」、値「４」、値「坂○洋子」がそれぞれ表示される。
【００３６】
また、表示領域７２０には、看護必要度チェックデータを生成する対象日付を示す「日付」が表示される。図３では、項目「日付」には、看護必要度チェックデータ入力画面の起動操作が行われた日付である「２００７年８月７日」が表示されている。また、表示領域７４０には、看護必要度チェックデータのＡ．モニタリングおよび処置等に関する各項目に付けられた点数を合算した値を示す「Ａ点数」と、看護必要度チェックデータのＢ．患者の状況等に関する各項目に付けられた点数を合算した値を示す「Ｂ点数」とが表示される。ここで、図３に示す看護必要度チェックデータ入力画面において、項目「１２  人工呼吸器の装着」にのみ「２．あり」（１点）が入力（選択押下）されているため、項目「Ａ点数」には「１（点）」が表示される。また、本実施形態では、Ｂ．患者の状況等に関する各項目にはデフォルト値の「０点」が設定されている。よって、項目「Ｂ点数」には「０（点）」が表示される。
【００３７】
表示領域７６０には、看護必要度チェックデータのＡ．モニタリングおよび処置等に関する項目が表示されているが、項目「１２  人工呼吸器の装着」以外の項目には「１．なし（０回）」が入力されている（図３では網掛け表示により入力状態を示す）。項目「７  心電図モニタ」には、看護必要度チェックデータ生成部５８０により「１．なし」が既に入力（選択押下）されており、本実施形態では、看護師が項目値を変更できないようにマスク処理をしてディスプレイ６２０に表示している（図３では項目全体を網掛け表示して示す）。また、項目「１２  人工呼吸器の装着」には「２．あり」が看護必要度チェックデータ生成部５８０により既に入力（選択押下）されており、本実施形態では、看護師が項目値を変更できないようにマスク処理をしてディスプレイ６２０に表示している（図３では項目全体を網掛け表示して示す）。すなわち、看護師は、表示領域７６０に表示される看護必要度チェックデータのＡ．モニタリングおよび処置等に関する項目のうち、患者に対する医療機器１２０の使用に関する項目（図３の例では、項目「７  心電図モニタ」および項目「１２  人工呼吸器の装着」）以外の項目に対して、値を入力（適切な値に対応するボタンを選択押下）すればよい。
【００３８】
なお、本実施形態では、画面出力部６００が、看護必要度チェックデータのうち患者に対する医療機器１２０の使用に関する項目（項目「７  心電図モニタ」および項目「１２  人工呼吸器の装着」）に対して値を変更できないようにマスク処理をしてディスプレイ６２０に表示する例について説明しているが、患者に対する医療機器１２０の使用に関する項目の表示方法はこれに限定されない。例えば、画面出力部６００は、看護必要度チェックデータのうち看護必要度チェックデータ生成部５８０により値が入力された項目以外の項目に限ってディスプレイ６２０に表示してもよい。また、画面出力部６００は、看護必要度チェックデータのうち看護必要度チェックデータ生成部５８０により値が入力された項目をそれ以外の項目と異なる配色にして強調表示するようにしてもよい。
【００３９】
次に、本実施形態における看護情報生成システム１００の動作について説明する。図４は、本実施形態による看護情報生成システム１００におけるナースコール履歴情報の記憶動作例を示すフローチャートである。図５は、本実施形態による看護情報生成システム１００における看護必要度チェックデータの生成動作例を示すフローチャートである。まずは、図４に示すフローチャートについて説明する。図４における各処理は、患者に対する医療機器１２０の使用に関する警告情報に基づいてナースコール履歴情報を生成しナースコール履歴情報記憶部５２０に記憶する場合における看護情報生成システム１００の処理内容を示しており、例えば、看護師が、患者に対する医療機器１２０の使用開始または使用解除を決定することによりステップＳ１００の処理は開始する。
【００４０】
まず、操作入力部３００は、医療機器１２０の使用が開始または解除される患者に割り当てられているベッドに関するベッド情報（本実施形態では、「部屋番号」、「ベッド番号」）の入力を受け付ける（ステップＳ１００）。次に、操作入力部３００は、患者に対して使用が開始または解除される医療機器１２０の種類（本実施形態では「人工呼吸器」または「心電図モニタ」）を特定する医療機器特定情報の入力を受け付ける（ステップＳ１２０）。次に、操作入力部３００は、医療機器１２０の警告情報を発生させる操作、または、医療機器１２０の使用解除を設定する操作を受け付ける（ステップＳ１４０）。
【００４１】
もし、ステップＳ１４０にて受け付けた設定操作が医療機器１２０の警告情報を発生させる操作である場合（ステップＳ１６０においてＹＥＳ）、テスト機能部３２０は、患者に対して使用される医療機器１２０が異常を検知した場合に出力する警告情報を擬似的に発生させる（ステップＳ１８０）。次に、警告情報出力部３４０は、テスト機能部３２０により発生された警告情報と共に看護師による操作入力部３００の操作を通じて入力されたベッド情報および医療機器特定情報をナースコール制御機１６０に出力する（ステップＳ２００）。次に、ナースコール情報出力部４２０は、警告情報出力部３４０により出力された警告情報、ベッド情報および医療機器特定情報を項目情報として含むナースコール情報を生成し、ナースコール親機１８０に出力する（ステップＳ２２０）。
【００４２】
一方、ステップＳ１４０にて受け付けた設定操作が医療機器１２０の使用解除の設定操作である場合（ステップＳ１６０においてＮＯ）、使用解除情報出力部３６０は、患者に対する医療機器１２０の使用解除を示す使用解除情報を発生させる（ステップＳ２４０）。次に、使用解除情報出力部３６０は、使用解除情報と共に看護師による操作入力部３００の操作を通じて入力されたベッド情報および医療機器特定情報をナースコール制御機１６０に出力する（ステップＳ２６０）。次に、ナースコール情報出力部４２０は、使用解除情報出力部３６０により出力された使用解除情報、ベッド情報および医療機器特定情報を項目情報として含むナースコール情報を生成し、ナースコール親機１８０に出力する（ステップＳ２８０）。
【００４３】
ステップＳ２２０またはステップＳ２８０の次の処理として、ナースコール履歴情報記憶制御部４８０は、ナースコール情報出力部４２０により出力されたナースコール情報に基づいて、ナースコール履歴情報を生成する（ステップＳ３００）。最後に、ナースコール履歴情報記憶制御部４８０は、ステップＳ３００にて生成したナースコール履歴情報をＤＢサーバ２００のナースコール履歴情報記憶部５２０に記憶させて（ステップＳ３２０）、看護情報生成システム１００におけるナースコール履歴情報の記憶動作処理は終了する。
【００４４】
次に、図５に示すフローチャートについて説明する。図５における各処理は、看護必要度チェックデータを生成する場合における看護情報生成システム１００の処理内容を示している。例えば、看護師が、看護支援クライアント２２０の操作入力部５６０に対して看護必要度チェックデータ入力画面の起動操作を行うことによりステップＳ４００の処理は開始する。
【００４５】
まず、操作入力部５６０は、看護必要度チェックデータを生成する対象患者をを識別するための個人ＩＤの入力操作を受け付ける（ステップＳ４００）。次に、看護必要度チェックデータ生成部５８０は、ステップＳ４００にて受け付けられた個人ＩＤに対応する患者情報がＤＢサーバ２００の患者情報記憶部５００に記憶されているか否かについて判別する（ステップＳ４２０）。もし、個人ＩＤに対応する患者情報が患者情報記憶部５００に記憶されていないと看護必要度チェックデータ生成部５８０にて判別した場合（ステップＳ４２０においてＮＯ）、処理はステップＳ４００に遷移し、操作入力部５６０は、看護必要度チェックデータを生成する対象患者を識別するための個人ＩＤの入力操作を再び受け付ける。
【００４６】
一方、個人ＩＤに対応する患者情報が患者情報記憶部５００に記憶されていると看護必要度チェックデータ生成部５８０にて判別した場合（ステップＳ４２０においてＹＥＳ）、看護必要度チェックデータ生成部５８０は、個人ＩＤに対応する患者の看護必要度チェックデータを生成する（ステップＳ４４０）。ここで生成される看護必要度チェックデータは、Ａ．モニタリングおよび処置等に関する項目およびＢ．患者の状況等に関する項目の各項目の点数に対して、デフォルト値として「０点」が設定されたデータである。
【００４７】
次に、看護必要度チェックデータ生成部５８０は、ナースコール履歴情報記憶部５２０に項目情報として「医療機器使用情報」を含み、操作入力部５６０にて入力を受け付けた個人ＩＤに対応するナースコール履歴情報が記憶されているか否かを判別する（ステップＳ４６０）。もし、ナースコール履歴情報記憶部５２０に項目情報として「医療機器使用情報」を含み、操作入力部５６０にて入力を受け付けた個人ＩＤに対応するナースコール履歴情報が記憶されていると看護必要度チェックデータ生成部５８０にて判別した場合（ステップＳ４６０においてＹＥＳ）、看護必要度チェックデータ生成部５８０は、項目「医療機器使用情報」を含み、操作入力部５６０にて入力を受け付けた個人ＩＤに対応する直近のナースコール履歴情報をナースコール履歴情報記憶部５２０から読み出す（ステップＳ４８０）。次に、看護必要度チェックデータ生成部５６０は、ステップＳ４８０にて読出したナースコール履歴情報に含まれる医療機器使用情報に「使用開始」の文字列が含まれるか否かを確認する（ステップＳ５００）。
【００４８】
もし、医療機器使用情報に「使用開始」の文字列が含まれる場合（ステップＳ５００においてＹＥＳ）、看護必要度チェックデータ生成部５８０は、当該医療機器使用情報に含まれる医療機器１２０の種類に応じて、看護必要度チェックデータのＡ．モニタリングおよび処置等に関する項目の値にデフォルト値の「０点（なし）」ではなく「１点（あり）」を入力する（ステップＳ５２０）。一方、医療機器使用情報に「使用終了」の文字列が含まれる場合（ステップＳ５００においてＮＯ）、看護必要度チェックデータ生成部５８０は、当該医療機器使用情報に含まれる医療機器１２０の種類に応じて、看護必要度チェックデータのＡ．モニタリングおよび処置等に関する項目の値に「１点（あり）」ではなくデフォルト値の「０点（なし）」を入力する（ステップＳ５４０）。
【００４９】
ステップＳ４６０（ステップＳ４６０においてＮＯ）、ステップＳ５２０またはステップＳ５４０の次のステップＳ５６０では、画面出力部６００は、看護必要度チェックデータ生成部５８０により生成された看護必要度チェックデータのうち、患者に対する医療機器１２０の使用に関する項目（本実施形態では、項目「７  心電図モニタ」および項目「１２  人工呼吸器の装着」）以外の項目に対して看護師が入力するための看護必要度チェックデータ入力画面をディスプレイ６２０に画面出力する（ステップＳ５６０）。最後に、操作入力部５６０は、看護必要度チェックデータ入力画面の各項目に対する入力操作を受け付ける（ステップＳ５８０）。そして、看護師による看護必要度チェックデータの入力操作が完了した後、看護情報生成システム１００における看護必要度チェックデータの生成処理は終了する。
【００５０】
以上詳しく説明したように、本実施形態では、ナースコール情報出力部４２０が、警告情報出力部３４０により擬似的に出力された警告情報、または、使用解除情報出力部３６０により出力された使用解除情報に基づいてナースコール情報を出力し、看護必要度チェックデータ生成部５８０が、ナースコール情報出力部４２０により出力されたナースコール情報に基づいて、患者に対する医療機器１２０の使用に関する項目に値を入力して看護必要度チェックデータを生成するようにしている。
【００５１】
このようにすれば、ナースコール情報出力部４２０により出力されたナースコール情報に基づいて、看護必要度チェックデータのうち患者に対する医療機器１２０の使用に関する項目に値が自動的に入力されるので、看護必要度の算出に必要な情報として看護師が入力すべき項目の数が少なくなり、看護師は、看護必要度の算出に必要な情報入力の手間を減らすことができる。
【００５２】
なお、本実施形態では、医療機器１２０が、人工呼吸器または心電図モニタである例について説明したが、医療機器１２０はこれに限定されない。例えば、医療機器１２０は、看護必要度チェックデータのＡ．モニタリングおよび処置等に関する項目に挙げられている「輸液ポンプ」や「シリンジポンプ」等であっても良い。
【００５３】
また、本実施形態では、廊下灯、壁埋込形子機、ハンド形子機等からの患者によるナースコール呼び出しの際にナースコール制御機１６０を介して、ナースコール親機１８０に通知されたナースコール情報以外に、セントラルモニタ１４０からの情報に基づきナースコール情報出力部４２０により出力されたナースコール情報もナースコール履歴情報記憶部５２０に記憶する例について説明していたが、セントラルモニタ１４０からの情報に基づきナースコール情報出力部４２０により出力されたナースコール情報は、ナースコール履歴情報記憶部５２０とは異なる専用の記憶部（図示せず）に記憶するようにとしても良い。
【００５４】
また、本実施形態では、ナースコール制御機１６０とナースコール親機１８０とを分けて構成する例について説明したが、ナースコール制御機１６０とナースコール親機１８０とを分けずに一つにまとめて構成しても良い。
【００５５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００５６】
【図１】本実施形態による看護情報生成システムのブロック構成例を示す図である。
【図２】本実施形態によるナースコール履歴情報記憶部に記憶されるナースコール履歴情報の例を示す図である。
【図３】本実施形態による看護必要度チェックデータ入力画面の一例を示す図である。
【図４】本実施形態による看護情報生成システムの動作例を示すフローチャートである。
【図５】本実施形態による看護情報生成システムの動作例を示すフローチャートである。
【図６】看護必要度を数値化する際に用いる評価票の例を示す図である。
【符号の説明】
【００５７】
１２０  医療機器
１４０  セントラルモニタ
１６０  ナースコール制御機
１８０  ナースコール親機
２００  ＤＢサーバ
２２０  看護支援クライアント
３００  操作入力部
３２０  テスト機能部
３４０  警告情報出力部
３６０  使用解除情報出力部
４２０  ナースコール情報出力部
４６０  日時情報検出部
４８０  ナースコール履歴情報記憶制御部
５００  患者情報記憶部
５２０  ナースコール履歴情報記憶部
５４０  看護必要度チェックデータ記憶部
５６０  操作入力部
５８０  看護必要度チェックデータ生成部
６００  画面出力部
６２０  ディスプレイ
【図１】
0005456959.tif 000002
【図２】
0005456959.tif 000003
【図３】
0005456959.tif 000004
【図４】
0005456959.tif 000005
【図５】
0005456959.tif 000006
【図６】
0005456959.tif 000007